(57)【要約】【課題】    従来のピンタンブラー錠の基本的構造を変更することなく、簡単にキーの交換するだけで先に使用していたキーを無効とできるピンタンブラー錠構造を提供する。【解決手段】  両面又は片面に相違する数のピン先端挿入部を刻設したリバーシブルタイプの平板状の複数のキーと、ピストンに刻設したキー溝と、キー溝の両側に開口並設させたピストン側ピン孔と、本体ケースに穿設した本体ケース側ピン孔と、本体ケース側ピン孔の外側を閉蓋した閉鎖部材と、閉鎖部材に当接させたコイルスプリングと、コイルスプリングに当接させた本体ケース側ピンと、本体ケース側ピンと当接した中間ピンと、中間ピンと当接したピストン側ピンと、ピストン側ピン孔の近傍のピストンの胴周に刻設した中間ピンを収容する中間ピン収容部とを備え、中間ピン収容部の開口径より本体ケース側ピンの外径を大径にした。【選択図】図１
0003120026.tif 000002
【実用新案登録請求の範囲】
【請求項１】
ロックピンを突出させた本体ケースと、該本体ケースに回動可能に内装された円柱状のピストンとによって構成されるピンタンブラー錠において、前記ピンタンブラー錠を解錠するための両面に夫々相違する数のすり鉢状のピン先端挿入部を刻設したリバーシブルタイプの平板状の複数のキーと、該複数のキーを単体毎に挿通させる前記ピストンの軸方向に刻設したキー溝と、該キー溝の両側に前記ピン先端挿入部と夫々合致するように開口並設させたピストン側ピン孔と、該夫々のピストン側ピン孔と連通するように本体ケースに穿設した夫々の本体ケース側ピン孔と、該本体ケース側ピン孔の外側を閉蓋した閉鎖部材と、該閉鎖部材に基端を当接させ中心方向に弾性を付与するコイルスプリングと、該コイルスプリングに当接させた本体ケース側ピンと、該本体ケース側ピンと当接して前記ピン先端挿入部の深さと略同じ厚さの中間ピンと、該中間ピンと当接し先端を略円錐状に形成したピストン側ピンと、前記ピストン側ピン孔の近傍のピストンの胴周に刻設した中間ピンを収容する中間ピン収容部とを備え、前記中間ピン収容部の開口径より本体ケース側ピンの外径を大径にすると共に、前記キーのピン先端挿入部の数の多い方から少ない方に順次キー溝に挿通させてピストンを回動させることにより順次中間ピンが中間ピン収容部に収納され先に挿通させたピン先端挿入部の数の多いキーから無効とすることを特徴とするピンタンブラー錠構造。
【請求項２】
ロックピンを突出させた本体ケースと、該本体ケースに回動可能に内装された円柱状のピストンとによって構成されるピンタンブラー錠において、前記ピンタンブラー錠を解錠するための片面に相違する数のすり鉢状のピン先端挿入部を刻設した平板状の複数のキーと、該複数のキーを単体毎に挿通させる前記ピストンの軸方向に刻設したキー溝と、該キー溝の両側に前記ピン先端挿入部と夫々合致するように開口並設させたピストン側ピン孔と、該夫々のピストン側ピン孔と連通するように本体ケースに穿設した夫々の本体ケース側ピン孔と、該本体ケース側ピン孔の外側を閉蓋した閉鎖部材と、該片側の閉鎖部材に基端を当接させ中心方向に弾性を付与するコイルスプリングと、該コイルスプリングに当接させた本体ケース側ピンと、該本体ケース側ピンと当接して前記ピン先端挿入部の深さと略同じ厚さの中間ピンと、該中間ピンと当接し先端を略円錐状に形成したピストン側ピンと、前記他側の閉鎖部材に基端を当接させ中心方向に弾性を付与するコイルスプリングと、該コイルスプリングに当接させた稍長い本体ケース側ピンと、該稍長い本体ケース側ピンと当接して先端を略円錐状に形成したピストン側ピンと、前記片側のピストン側ピン孔の近傍のピストンの胴周に刻設した中間ピンを収容する中間ピン収容部とを備え、前記中間ピン収容部の開口径より本体ケース側ピンの外径を大径にすると共に、前記キーのピン先端挿入部の数の多い方から少ない方に順次キー溝に挿通させてピストンを回動させることにより順次中間ピンが中間ピン収容部に収納され先に挿通させたピン先端挿入部の数の多いキーから無効とすることを特徴とするピンタンブラー錠構造。
【考案の詳細な説明】
【技術分野】
【０００１】  本考案は一つのピンタンブラー錠に複数のキーを備えて交換することによって、それ以前に使用されていたキーを無効にすることができるキーの交換が可能なピンタンブラー錠構造に関するものであり、更に詳細には、ピン先端挿入部の数の相違する複数のキーを備え、ピン先端挿入部の数の多い方から少ない方に順次変更することにより以前のキーを無効とするピンタンブラー錠構造に関するものである。
【背景技術】
【０００２】  従来、ピンタンブラー錠におけるキーの交換は、内部に組み込まれたピンの配列を変更したり、或は、内筒と外筒との間のシャーライン位置を変更する等々の形式によって種々の技術が公知であるが、従来の技術は複雑且つそれを実施する為の費用が高価であって、簡単にキーを交換するという本来の目的を達成するものとは言いがたく、そのような技術の基本的発想は、マスターキーシステム等に見られるが、それは単にキーを交換するこでは無く、一個のシリンダーに同時に何個のキーが使用出来るかを問題とする技術であって、先に使用されたキーを後に使用されたキーによって無効にし、それ以後は後に使用されたキーのみが有効になるという簡単な命題は考慮された事がなかった。【０００３】  その為に、例えば、複数のピン群１０とキーコード変換用ピン群とキーの先端が直接係合する作動部材とキーコード変換時にキー先端と作動部材との係合を解除する解除部材１２とを備えたので、キーコード変換時にその都度、シリンダー錠を取り外す必要がなくキーコードの変換が極めて容易であるもの（特許文献１）や、ピンタンブラー錠において、ピンを分割し、ピンとドライバの間に鍵山一段分の高さに相当する移動ピンを介在させ、ピンタンブラー錠内筒の適当個所に該移動ピンのみを収容できる移動ピン収容孔を穿設し、通常はドライバーと移動ピンの境界分割面をピンタンブラー錠内外筒のシャーラインによって分割して錠操作を行わせ、鍵交換に際しては、新規の鍵によって移動ピンとピンの間の分割境界面を前記シャーラインによって分割し、外筒内に押し上げられた移動ピンを内筒の回動によって移動してきた移動ピン収容孔内に落とし込んで、それ以降は新規の鍵のみによって錠操作が可能となるピンタンブラー錠を得るもの（特許文献２）等が開示されている。
【特許文献１】特開平０７−８２９３４号公報
【特許文献２】特開平０７−１８０４０４号公報
【考案の開示】
【考案が解決しようとする課題】
【０００４】  然し乍ら、複数のピン群１０とキーコード変換用ピン群とキーの先端が直接係合する作動部材とキーコード変換時にキー先端と作動部材との係合を解除する解除部材１２とを備えたので、キーコード変換時にその都度、シリンダー錠を取り外す必要がなくキーコードの変換が極めて容易であるものでは、キーコード変換用ピン群や解除部材１２等を設けており構造が複雑なものとなっている。【０００５】  更に、ピンタンブラー錠において、ピンを分割し、ピンとドライバの間に鍵山一段分の高さに相当する移動ピンを介在させ、ピンタンブラー錠内筒の適当個所に該移動ピンのみを収容できる移動ピン収容孔を穿設し、通常はドライバーと移動ピンの境界分割面をピンタンブラー錠内外筒のシャーラインによって分割して錠操作を行わせ、鍵交換に際しては、新規の鍵によって移動ピンとピンの間の分割境界面を前記シャーラインによって分割し、外筒内に押し上げられた移動ピンを内筒の回動によって移動してきた移動ピン収容孔内に落とし込んで、それ以降は新規の鍵のみによって錠操作が可能となるピンタンブラー錠を得るものでは、鍵の巾方向で操作するために鍵に方向性を有し不便であると共に、夫々のピンの長さを変えなければ成らず複雑組立と成っていた。
【課題を解決するための手段】
【０００６】  本考案のピンタンブラー錠は、前述の課題に鑑み、鋭意研鑽の結果、請求項１に記載のピンタンブラー錠は、ロックピンを突出させた本体ケースと、本体ケースに内装されたピストンとによって構成されるピンタンブラー錠において、ピンタンブラー錠を解錠するための両面に相違する数のピン先端挿入部を刻設したリバーシブルタイプの平板状の複数のキーと、キーを挿通させるピストンに刻設したキー溝と、キー溝の両側にピン先端挿入部と合致するように開口並設させたピストン側ピン孔と、ピストン側ピン孔と連通するように本体ケースに穿設した本体ケース側ピン孔と、本体ケース側ピン孔の外側を閉蓋した閉鎖部材と、閉鎖部材に当接させたコイルスプリングと、コイルスプリングに当接させた本体ケース側ピンと、本体ケース側ピンと当接してピン先端挿入部の深さと略同じ厚さの中間ピンと、中間ピンと当接したピストン側ピンと、ピストン側ピン孔の近傍のピストンの胴周に刻設した中間ピンを収容する中間ピン収容部とを備え、中間ピン収容部の開口径より本体ケース側ピンの外径を大径にすると共に、キーのピン先端挿入部の数の多い方から少ない方に順次キー溝に挿通させてピストンを回動させることにより順次中間ピンが中間ピン収容部に収納され先に挿通させたピン先端挿入部の数の多いキーから無効とするものである。【０００７】  更に、請求項２に記載のピンタンブラー錠構造は、ロックピンを突出させた本体ケースと、本体ケースに内装されたピストンとによって構成されるピンタンブラー錠において、ピンタンブラー錠を解錠するための片面に相違する数のピン先端挿入部を刻設した平板状の複数のキーと、キーを挿通させるピストンに刻設したキー溝と、キー溝の両側にピン先端挿入部と合致するように開口並設させたピストン側ピン孔と、ピストン側ピン孔と連通するように本体ケースに穿設した本体ケース側ピン孔と、本体ケース側ピン孔の外側を閉蓋した閉鎖部材と、片側の閉鎖部材に基端を当接させたコイルスプリングと、コイルスプリングに当接させた本体ケース側ピンと、本体ケース側ピンと当接してピン先端挿入部の深さと略同じ厚さの中間ピンと、中間ピンと当接したピストン側ピンと、他側の閉鎖部材に当接させたコイルスプリングと、コイルスプリングに当接させた稍長い本体ケース側ピンと、稍長い本体ケース側ピンと当接したピストン側ピンと、片側のピストン側ピン孔の近傍のピストンの胴周に刻設した中間ピンを収容する中間ピン収容部とを備え、中間ピン収容部の開口径より本体ケース側ピンの外径を大径にすると共に、キーのピン先端挿入部の数の多い方から少ない方に順次キー溝に挿通させてピストンを回動させることにより順次中間ピンが中間ピン収容部に収納され先に挿通させたピン先端挿入部の数の多いキーから無効とするものである。
【考案の効果】
【０００８】  本考案のピンタンブラー錠構造は、従来のピンタンブラー錠の基本的構造を変更することなく、且つ、簡単にキーの交換するだけで先に使用していたキーを無効とできるもので、構造が簡単な廉価に提供できるピンタンブラー錠構造を提供することができると共に、リバーシブルタイプものは操作性が良く、画期的で実用性の高い考案である。
【考案を実施するための最良の形態】
【０００９】  本考案は一つのピンタンブラー錠に複数のキーを備えて交換することによって、それ以前に使用されていたキーを無効にすることができるキーの交換が可能なピンタンブラー錠構造に関するものであり、更に詳細には、ピン先端挿入部の数の相違する複数のキーを備え、ピン先端挿入部の数の多い方から少ない方に順次変更することにより以前のキーで解錠できなるピンタンブラー錠構造に関するものであり、請求項１に記載のピンタンブラー錠構造は、ロックピン１ａを突出させた本体ケース１と、該本体ケース１に回動可能に内装された円柱状のピストン２とによって構成されるピンタンブラー錠において、前記ピンタンブラー錠を解錠するための両面に夫々相違する数のすり鉢状のピン先端挿入部３ａを刻設したリバーシブルタイプの平板状の複数のキー３と、該複数のキー３を単体毎に挿通させる前記ピストン２の軸方向に刻設したキー溝４と、該キー溝４の両側に前記ピン先端挿入部３ａと夫々合致するように開口並設させたピストン側ピン孔５と、該夫々のピストン側ピン孔５と連通するように本体ケース１に穿設した夫々の本体ケース側ピン孔６と、該本体ケース側ピン孔６の外側を閉蓋した閉鎖部材７と、該閉鎖部材７に基端を当接させ中心方向に弾性を付与するコイルスプリング８と、該コイルスプリング８に当接させた本体ケース側ピン９と、該本体ケース側ピン９と当接して前記ピン先端挿入部３ａの深さと略同じ厚さの中間ピン１０と、該中間ピン１０と当接し先端を略円錐状に形成したピストン側ピン１１と、前記ピストン側ピン孔５の近傍のピストン２の胴周に刻設した中間ピン１０を収容する中間ピン収容部１２とを備え、前記中間ピン収容部１２の開口径より本体ケース側ピン９の外径を大径にすると共に、前記キー３のピン先端挿入部３ａの数の多い方から少ない方に順次キー溝４に挿通させてピストン２を回動させることにより順次中間ピン１０が中間ピン収容部１２に収納され先に挿通させたピン先端挿入部３ａの数の多いキー３から無効とするものである。【００１０】  更に、請求項２に記載のピンタンブラー錠構造は、ロックピン１ａを突出させた本体ケース１と、該本体ケース１に回動可能に内装された円柱状のピストン２とによって構成されるピンタンブラー錠において、前記ピンタンブラー錠を解錠するための片面に夫々相違する数のすり鉢状のピン先端挿入部３ａを刻設した平板状の複数のキー３と、該複数のキー３を単体毎に挿通させる前記ピストン２の軸方向に刻設したキー溝４と、該キー溝４の両側に前記ピン先端挿入部３ａと夫々合致するように開口並設させたピストン側ピン孔５と、該夫々のピストン側ピン孔５と連通するように本体ケース１に穿設した夫々の本体ケース側ピン孔６と、該本体ケース側ピン孔６の外側を閉蓋した閉鎖部材７と、該片側の閉鎖部材７に基端を当接させ中心方向に弾性を付与するコイルスプリング８と、該コイルスプリング８に当接させた本体ケース側ピン９と、該本体ケース側ピン９と当接して前記ピン先端挿入部３ａの深さと略同じ厚さの中間ピン１０と、該中間ピン１０と当接し先端を略円錐状に形成したピストン側ピン１１と、前記他側の閉鎖部材７に基端を当接させ中心方向に弾性を付与するコイルスプリン��８と、該コイルスプリング８に当接させた稍長い本体ケース側ピン９ａと、該稍長い本体ケース側ピン９ａと当接して先端を略円錐状に形成したピストン側ピン１１と、前記片側のピストン側ピン孔５の近傍のピストン２の胴周に刻設した中間ピン１０を収容する中間ピン収容部１２とを備え、前記中間ピン収容部１２の開口径より本体ケース側ピン９の外径を大径にすると共に、前記キー３のピン先端挿入部３ａの数の多い方から少ない方に順次キー溝４に挿通させてピストン２を回動させることにより順次中間ピン１０が中間ピン収容部１２に収納され先に挿通させたピン先端挿入部３ａの数の多いキー３から無効とするものである。
【実施例】
【００１１】  以下、本考案のピンタンブラー錠構造の実施例の図面によって具体的に説明すると、図１は本考案のピンタンブラー錠構造の実施例１の説明のための要部縦断面図であり、図２は本考案のピンタンブラー錠構造の実施例の正面図であり、図３は本考案のピンタンブラー錠構造の実施例の使用状態を説明するための第１のキーを挿通させた状態の要部横断面図であり、図４は本考案のピンタンブラー錠構造の実施例の使用状態を説明するための第２のキーを挿通させた状態の要部横断面図であり、図５は本考案のピンタンブラー錠構造の実施例の使用状態を説明するための第２のキーを挿通させて回動させた状態の要部横断面図であり、図６は本考案のピンタンブラー錠構造の実施例の使用状態を説明するための無効とした第１のキーを挿通させた状態の要部横断面図であり、図７は本考案のピンタンブラー錠構造の実施例の各キーの平面図であり、図２は本考案のピンタンブラー錠構造の実施例２の説明のための要部縦断面図である。【００１２】  即ち、本考案の実施例１のピンタンブラー錠構造のピンタンブラー錠の本体ケース１は略円柱状の金属で形成されるもので、後方には施錠が必要な機器（図示しない）のロック用孔に挿通させるロックピン１ａを出没自在に突出させており、軸方向の略中央には後述するピストン２を内装するピストン用穴を形成しているものである。【００１３】  そして、ピストン２は円柱状の金属で形成されるもので、本体ケース１のピストン用穴に回動可能に且つ埋没状態で内装され、表面には後述するキー溝４の開口を露出させており、後端にはロックピン１ａを回動させることにより出没自在とするカム機構等により機械的に接続させているものである。【００１４】  次に、キー３は平板状の金属で形成されるもので、実施例では図７に図示する如く、第１のキー３（Ａ）から第５のキー３（Ｅ）まで（Ａ）（Ｂ）（Ｃ）（Ｄ）（Ｅ）の５つの相違する数のすり鉢状のピン先端挿入部３ａを一列状に刻設したキー３を備えるもので、夫々のキー３にはリバーシブルタイプとするために両面に同数且つ同配置にピン先端挿入部３ａを刻設しており、実施例では第１のキー３（Ａ）は両面に夫々４つのピン先端挿入部３ａを刻設しており、順次、ピン先端挿入部３ａの数は両面に夫々３、２、１、０と５つのキー３を備えているもので、何れもピンタンブラー錠のピストン２を回動させることで解錠するものであるが、キー３のピン先端挿入部３ａの数の多い方から少ない方に交換して解錠すると、それ以前に使用していたキー３は自動的に無効と成るものである。【００１５】  次いで、キー溝４はキー３を挿通させるためのものでピストン２の軸方向に略全長にわたって刻設しており、複数のキー３を単体毎に挿通させ回動させることでピストン２を回動させて解錠するものである。【００１６】  更に、ピストン側ピン孔５はキー溝４の両側に対称的に開口させピストン２の周方向を貫通させており、キー３の最多のピン先端挿入部３ａと数と合致する数を並設させているもので、実施例ではキー溝４の両側に夫々４つ宛直線状に開口させているもので、後述するピストン側ピン１１の摺動を規制し、且つ、抜落の無いように段部を形成しているものである。【００１７】  ���には、本体ケース側ピン孔６は夫々のピストン側ピン孔５と連通するように本体ケース１に穿設しており、本体ケース１の周方向の外側まで貫通するように実施例では両側に夫々４つ直線状に穿設しているものである。【００１８】  そして、閉鎖部材７は夫々の本体ケース側ピン孔６を閉蓋するもので、本体ケース側ピン孔６の外側に後述するコイルスプリング８や本体ケース側ピン９、中間ピン１０、ピストン側ピン１１を本体ケース側ピン孔６の外側から挿入した後に閉蓋するものである。【００１９】  次に、コイルスプリング８は基端を閉鎖部材７に当接させ、先端を後述する本体ケース側ピン９に当接させて、絶えず中心方向に弾性を付与しているものである。【００２０】  次いで、本体ケース側ピン９は基端をコイルスプリング８と当接して弾性を付与されており、先端は後述する中間ピン１０の基端に当接しているものであり、本体ケース側ピン９の径は後述する中間ピン収容部１２より大径に形成されているものである。【００２１】  更に、中間ピン１０は基端を本体ケース側ピン９と当接し、先端を後述するピストン側ピン１１の基端に当接しているもので、その厚さはキー３のピン先端挿入部３ａの深さと略同じ厚みにしており、後述するピストン側ピン１１の先端がピン先端挿入部３ａに挿通したときはピストン側ピン孔５に位置され、ピストン側ピン１１の先端がピン先端挿入部３ａに挿入されないときは本体ケース側ピン孔６に位置されるものであり、更には、後述する中間ピン収容部１２に離脱して収納されるサイズのものである。【００２２】  そして、ピストン側ピン１１は基端を中間ピン１０と当接しており、その先端はキー３のピン先端挿入部３ａに挿脱が自在に成るように円錐状に形成しているもので、胴周には段部を設けて前記ピストン側ピン孔５に形成された段部と当接して摺動が規制されているものである。【００２３】  次いで、中間ピン収容部１２は中間ピン１０を収容とするもので、ピストン側ピン孔５の近傍のピストン２の胴周に刻設しているものであり、キー３により中間ピン１０を本体ケース側ピン孔６に移動させた状態でピストン２を回動させ、本体ケース側ピン孔６の位置と中間ピン収容部１２の位置が合致するとコイルスプリング８の弾性によって、中間ピン１０が中間ピン収容部１２に落とし込まれるものである。【００２４】  そして、本考案のピンタンブラー錠構造は中間ピン収容部１２の開口径より本体ケース側ピン９の先端の外径を大径にすることにより、本体ケース側ピン９と中間ピン１０との間が離脱してピストン２が回動しても、本体ケース側ピン９の先端が中間ピン収容部１２の中に挿通されるようなトラブルは皆無のものである。【００２５】  つまり、ピン先端挿入部３ａの刻設されていないキー３の厚みによりピストン側ピン１１を押し上げて、ピストン側ピン１１と中間ピン１０との間を離脱させてピストン２を回動させると、中間ピン１０は中間ピン収容部１２に落とし込まれるものであり、永遠に中間ピン収容部１２に中間ピン１０は収容された状態となるものである。【００２６】  本考案のピンシリンダー錠構造は、図３に図示する如く、第１のキー３（Ａ）をキー溝４に挿通させるとピン先端挿入部３ａにピストン側ピン１���の先端が挿入し、中間ピン１０はコイルスプリング８により弾性を付与されピストン側ピン１１と共にピストン側ピン孔５に位置しており、ピストン２を回動させると本体ケース側ピン９と中間ピン１０との間が離脱してピストン２が回動するもので、この状態で中間ピン収容部１２の位置まで本体ケース側ピン９を回動させても中間ピン収容部１２うえを通過するものである。【００２７】  そして、図４に図示する状態は、第２のキー３（Ｂ）を挿通させた状態で、ピストン側ピン１１の先端がピン先端挿入部３ａが刻設して無い部位に位置しており、中間ピン１０はピストン側ピン１１と共にキー３により押し上げられコイルスプリング８の弾性に抗して、ピストン側ピン孔５にピストン側ピン１１と共に位置されるもので、この状態でピストン２を回動させると中間ピン１０とピストン側ピン１１との間が離脱して回動するものである。【００２８】  次いで、図５に図示する位置まで回動させると中間ピン１０はコイルスプリング８の弾性により押圧されて中間ピン収容部１２に落とし込まれて収容れるものである。【００２９】  次に、図６に図示する状態は、中間ピン１０を中間ピン収容部１２に収納させた状態で第１のキー３（Ａ）のピン先端挿入部３ａにピストン側ピン１１の先端を挿入させても本体ケース側ピン９が本体ケース側ピン孔６とピストン側ピン孔５との間に位置することからピストン２は回動しないもので解錠はできなくなるものである。【００３０】  つまり、キー３のピン先端挿入部３ａの数の多い方から少ない方に順次使用して、キー溝４に挿通させてピストン２を回動させることにより、中間ピン１０が中間ピン収容部１２に順次収納されることで、先に使用していたキー３が無効となるものである。【００３１】  更に、本考案の実施例２のピンタンブラー錠構造は、実施例１のピンタンブラー錠構造の複数のキー３の片面のみに夫々相違する数のすり鉢状のピン先挿入部３ａを刻設すると共に、図８に図示する如く、他側のピストン側ピン孔５本体ケース側ピン孔６とに挿入する中間ピン１０を無くしたもので、稍長い本体ケース側ピン９ａを挿入して中間ピン１０を排するもので、他の構造は実施例１と同じなので省略するものである。
【産業上の利用可能性】
【００３２】  本考案のピンタンブラー錠構造は、キーを交換するだけでそれ以前に使用されていた全てのキーを無効にするもので、所謂、キーの差し替えだけで全ての作業が完了する単純なピンシリンダー錠構造であって、キーの紛失が頻繁に発生する遊技場の機械管理用キー等に使用するに適したピンシリンダー錠構造を提供するものである。
【図面の簡単な説明】
【００３３】
【図１】  図１は本考案のピンタンブラー錠構造の実施例の要部縦断面図である。
【図２】  図２は本考案のピンタンブラー錠構造の実施例の正面図である。
【図３】  図３は本考案のピンタンブラー錠構造の実施例の使用状態を説明するための第１のキーを挿通させた状態の要部横断面図である。
【図４】  図４は本考案のピンタンブラー錠構造の実施例の使用状態を説明するための第２のキーを挿通させた状態の要部横断面図である。
【図５】  図５は本考案のピンタンブラー錠構造の実施例の使用状態を説明するための第２のキーを挿通させて回動させた状態の要部横断面図である。
【図６】  図６は本考案のピンタンブラー錠構造の実施例の使用状態を説明するための無効とした第１のキーを挿通させた状態の要部横断面図である。
【図７】  図７は本考案のピンタンブラー錠構造の実施例の各キーの平面図である。
【図８】  図８は本考案のピンタンブラー錠構造の実施例の要部縦断面図である。
【符号の説明】
【００３１】  １    本体ケース
１ａ  ロックピン
２    ピストン
３    キー
３ａ  ピン先端挿入部
４    キー溝
５    ピストン側ピン孔
６    本体ケース側ピン孔
７    閉鎖部材
８    コイルスプリング
９    本体ケース側ピン
９ａ  稍長い本体ケース側ピン
１０    中間ピン
１１    ピストン側ピン
１２    中間ピン収容部
【図１】
0003120026.tif 000003
【図２】
0003120026.tif 000004
【図３】
0003120026.tif 000005
【図４】
0003120026.tif 000006
【図５】
0003120026.tif 000007
【図６】
0003120026.tif 000008
【図７】
0003120026.tif 000009
【図８】
0003120026.tif 000010